【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
記録後の記録媒体の記録面に風を当てて予備乾燥するための送風手段を少なくとも備えたインクジェット記録装置に用いられ、少なくとも着色剤と、湿潤剤と、界面活性剤と、浸透剤とを含有する記録用インクであって、
前記記録用インクの２５℃の粘度η（ｍＰａ・ｓ）と、前記記録用インクの２５℃の表面張力γ（ｍＮ／ｍ）とが、次式、γ／η≦５を満たすと共に、前記粘度ηが４〜２０ｍＰａ・ｓであり、かつ前記表面張力γが１９．２〜３６ｍＮ／ｍであることを特徴とする記録用インク。
【請求項２】
着色剤が顔料であり、該顔料がその表面に少なくとも１種の親水基を有し、分散剤の不存在下で水分散乃至水溶性の少なくともいずれかを示す請求項１に記載の記録用インク。
【請求項３】
着色剤が、ポリマー微粒子に水不溶乃至水難溶性の色材を含有させてなるポリマーエマルジョンである請求項１に記載の記録用インク。
【請求項４】
着色剤の記録用インクにおける含有量が、固形分濃度で、５〜１５質量％である請求項１から３のいずれかに記載の記録用インク。
【請求項５】
湿潤剤が、温度２０℃、相対湿度６０％の環境下、平衡水分量が２５質量％以上である多価アルコールの少なくとも２種である請求項１から４のいずれかに記載の記録用インク。
【請求項６】
多価アルコールがグリセリンであり、かつ該グリセリンの湿潤剤における含有量が５０質量％以上である請求項５に記載の記録用インク。
【請求項７】
湿潤剤の記録用インクにおける含有量が、１０〜５０質量％である請求項１から６のいずれかに記載の記録用インク。
【請求項８】
界面活性剤が、アニオン性界面活性剤及びノニオン性界面活性剤の少なくともいずれかである請求項１から７のいずれかに記載の記録用インク。
【請求項９】
界面活性剤の記録用インクにおける含有量が、０．０１〜５質量％である請求項１から８のいずれかに記載の記録用インク。
【請求項１０】
浸透剤の記録用インクにおける含有量が、０．１〜５質量％である請求項１から９のいずれかに記載の記録用インク。
【請求項１１】
シアンインク、マゼンタインク、イエローインク及びブラックインクから選択される少なくとも１種である請求項１から１０のいずれかに記載の記録用インク。
【請求項１２】
請求項１から１１のいずれかに記載の記録用インクを容器中に収容してなることを特徴とするインクカートリッジ。
【請求項１３】
請求項１から１１のいずれかに記載の記録用インクに刺激を印加し、該記録用インクを飛翔させて画像を記録するインク飛翔手段と、記録後の記録媒体の記録面に風を当てて予備乾燥するための送風手段とを少なくとも有することを特徴とするインクジェット記録装置。
【請求項１４】
送風手段が、記録媒体の排紙方向に風を当て、かつインク飛翔手段に風が当たらないように配置された請求項１３に記載のインクジェット記録装置。
【請求項１５】
送風手段がヒーターを備え、該ヒーターの作動により温風を記録媒体の記録面に当てる請求項１３から１４のいずれかに記載のインクジェット記録装置。
【請求項１６】
請求項１から１１のいずれかに記載の記録用インクに刺激を印加し、該記録用インクを飛翔させて画像を記録するインク飛翔工程と、記録後の記録媒体の記録面に風を当てて予備乾燥するための送風工程とを少なくとも含むことを特徴とするインクジェット記録方法。
【請求項１７】
ノズル近傍での水分蒸発率が３０％を超える前に、記録媒体上にインクを吐出させる請求項１６に記載のインクジェット記録方法。
【請求項１８】
記録媒体上にインクが付着後５秒以内に送風が行われる請求項１６から１７のいずれかに記載のインクジェット記録方法。
【請求項１９】
記録媒体上に請求項１から１１のいずれかに記載の記録用インクを用いて記録された画像を有してなることを特徴とするインク記録物。
【手続補正２】
【補正対象書類名】明細書
【補正対象項目名】００１５
【補正方法】変更
【補正の内容】
【００１５】
前記課題を解決するための手段としては、以下の通りである。即ち、
＜１＞  記録後の記録媒体の記録面に風を当てて予備乾燥するための送風手段を少なくとも備えたインクジェット記録装置に用いられ、少なくとも着色剤と、湿潤剤と、界面活性剤と、浸透剤とを含有する記録用インクであって、
前記記録用インクの２５℃の粘度η（ｍＰａ・ｓ）と、前記記録用インクの２５℃の表面張力γ（ｍＮ／ｍ）とが、次式、γ／η≦５を満たすと共に、前記粘度ηが４〜２０ｍＰａ・ｓであり、かつ前記表面張力γが１９．２〜３６ｍＮ／ｍであることを特徴とする記録用インクである。
＜２＞  着色剤が顔料であり、該顔料がその表面に少なくとも１種の親水基を有し、分散剤の不存在下で水分散乃至水溶性の少なくともいずれかを示す前記＜１＞に記載の記録用インクである。
＜３＞  着色剤が、ポリマー微粒子に水不溶乃至水難溶性の色材を含有させてなるポリマーエマルジョンである前記＜１＞に記載の記録用インクである。
＜４＞  着色剤の記録用インクにおける含有量が、固形分濃度で、５〜１５質量％である前記＜１＞から＜３＞のいずれかに記載の記録用インクである。
＜５＞  湿潤剤が、温度２０℃、相対湿度６０％の環境下、平衡水分量が２５質量％以上である多価アルコールの少なくとも２種である前記＜１＞から＜４＞のいずれかに記載の記録用インクである。
＜６＞  多価アルコールがグリセリンであり、かつ該グリセリンの湿潤剤における含有量が５０質量％以上である前記＜５＞に記載の記録用インクである。
＜７＞  湿潤剤の記録用インクにおける含有量が、１０〜５０質量％である前記＜１＞から＜６＞のいずれかに記載の記録用インクである。
＜８＞  界面活性剤が、アニオン性界面活性剤及びノニオン性界面活性剤の少なくともいずれかである前記＜１＞から＜７＞のいずれかに記載の記録用インクである。
＜９＞  界面活性剤の記録用インクにおける含有量が、０．０１〜５質量％である前記＜１＞から＜８＞のいずれかに記載の記録用インクである。
＜１０＞  浸透剤の記録用インクにおける含有量が、０．１〜５質量％である前記＜１＞から＜９＞のいずれかに記載の記録用インクである。
＜１１＞  シアンインク、マゼンタインク、イエローインク及びブラックインクから選択される少なくとも１種である前記＜１＞から＜１０＞のいずれかに記載の記録用インクである。
＜１２＞  前記＜１＞から＜１１＞のいずれかに記載の記録用インクを容器中に収容してなることを特徴とするインクカートリッジである。
＜１３＞  前記＜１＞から＜１１＞のいずれかに記載の記録用インクに刺激を印加し、該記録用インクを飛翔させて画像を記録するインク飛翔手段と、記録後の記録媒体の記録面に風を当てて予備乾燥するための送風手段とを少なくとも有することを特徴とするインクジェット記録装置である。
＜１４＞  送風手段が、記録媒体の排紙方向に風を当て、かつインク飛翔手段に風が当たらないように配置された前記＜１３＞に記載のインクジェット記録装置である。
＜１５＞  送風手段がヒーターを備え、該ヒーターの作動により温風を記録媒体の記録面に当てる前記＜１３＞から＜１４＞のいずれかに記載のインクジェット記録装置である。
＜１６＞  前記＜１＞から＜１１＞のいずれかに記載の記録用インクに刺激を印加し、該記録用インクを飛翔させて画像を記録するインク飛翔工程と、記録後の記録媒体の記録面に風を当てて予備乾燥するための送風工程とを少なくとも含むことを特徴とするインクジェット記録方法である。
＜１７＞  ノズル近傍での水分蒸発率が３０％を超える前に、記録媒体上にインクを吐出させる前記＜１６＞に記載のインクジェット記録方法である。
＜１８＞  記録媒体上にインクが付着後５秒以内に送風が行われる前記＜１６＞から＜１７＞のいずれかに記載のインクジェット記録方法である。
＜１９＞  記録媒体上に前記＜１＞から＜１１＞のいずれかに記載の記録用インクを用いて記録された画像を有してなることを特徴とするインク記録物である。
【手続補正３】
【補正対象書類名】明細書
【補正対象項目名】００２５
【補正方法】変更
【補正の内容】
【００２５】
前記数式１においては、浸透性が、時間と記録媒体に関するｒ、インクと記録媒体に関するθ、インクに関するγ、ηから構成されており、インク物性だけの関係を見るとγ／ηとなっている。
したがって、前記記録用インクにおける２５℃の粘度η（ｍＰａ・ｓ）と、前記記録用インクにおける２５℃の表面張力γ（ｍＮ／ｍ）とが、次式、γ／η≦５を満たし、γ／η≦４が好ましい。また、前記粘度ηは４〜２０ｍＰａ・ｓであり、７〜１５ｍＰａ・ｓが好ましい。また、前記表面張力γは１９．２〜３６ｍＮ／ｍであり、２５〜３２ｍＮ／ｍが好ましい。
前記記録用インクは、上記関係を満たすことにより、インクの浸透性が送風による効果を最大限に引き出すことができる。
【手続補正４】
【補正対象書類名】明細書
【補正対象項目名】０１００
【補正方法】変更
【補正の内容】
【０１００】
（実施例１〜８、比較例１〜５及び参考例１）
−記録用インクの作製−
まず、表１及び表２に示す組成の湿潤剤、浸透剤、界面活性剤、及び水を１時間攪拌して均一に混合した。この混合液に対して、調製例１〜３及びカーボンブラック分散体（ＣＡＢ−Ｏ−ＪＥＴ３００，キャボット社製）のいずれかの顔料分散体、及び消泡剤を添加し、１時間攪拌した。
次に、得られた分散液を平均孔径０．８μｍのセルロースアセテートメンブランフィルターにて加圧濾過し、粗大粒子やごみを除去して、各記録用インクを作製した。
【手続補正５】
【補正対象書類名】明細書
【補正対象項目名】０１０１
【補正方法】変更
【補正の内容】
【０１０１】
【表１】
2006213855.tif 000001
【手続補正６】
【補正対象書類名】明細書
【補正対象項目名】０１０２
【補正方法】変更
【補正の内容】
【０１０２】
【表２】
2006213855.tif 000002
＊：表面に少なくとも１種の親水基が直接又は他の原子団を介して結合するような処理が施されたカーボンブラック
【手続補正７】
【補正対象書類名】明細書
【補正対象項目名】０１１０
【補正方法】変更
【補正の内容】
【０１１０】
【表３】
2006213855.tif 000003
【手続補正８】
【補正対象書類名】明細書
【補正対象項目名】０１１１
【補正方法】変更
【補正の内容】
【０１１１】
【表４】
2006213855.tif 000004